(57)【要約】【課題】空気調和機の大型化およびこの空気調和機を梱包する梱包箱の大型化を抑制することが可能な空気調和機を提供する。【解決手段】空気調和機は、室内空気送風用のシロッコファン（３１）と、現地施工する連絡配管（３６）の機内引回し用の配管スペース（１８）と、現地施工するための付属品を、空気調和機を輸送するときに保持するための保持部（２２）とを備えている。配管スペース（１８）は、シロッコファン（３１）の吸込側に形成され、保持部（２２）は、配管スペース（１８）内に位置する。【選択図】図２
2013217608.tif 000002
【特許請求の範囲】
【請求項１】
室内空気送風用の送風機（３１）と、現地施工する配管（３６）の機内引回し用の配管スペース（１８）と、現地施工するための付属品（３５）を、空気調和機を輸送するときに保持するための保持部（２２）とを備え、
前記配管スペース（１８）は、前記送風機（３１）の吸込側に形成され、
前記保持部（２２）は、前記配管スペース（１８）内に位置する
ことを特徴とする空気調和機。
【請求項２】
請求項１記載の空気調和機において、
下方前面部に吸込グリル（１７）が配置されるとともに、この吸込グリル（１７）の内側に吹出方向を上方として前記送風機（３１）が配置されることにより、この送風機（３１）と、当該空気調和機のケーシング（１０）を構成する底フレーム（１１）との間に前記送風機の吸込側空間が形成され、
前記保持部（２２）は、前記吸込側空間における下端位置に配置されている
ことを特徴とする空気調和機。
【発明の詳細な説明】
【技術分野】
【０００１】
本発明は、空気調和機、特に室内ユニット用の付属品の収納構造に関する。
【背景技術】
【０００２】
空気調和機として、例えば特許文献１に記載の床置型空気調和機が知られている。
【先行技術文献】
【特許文献】
【０００３】
【特許文献１】特開平１０−１４１６９８号公報
【発明の概要】
【発明が解決しようとする課題】
【０００４】
床置型空気調和機を搬送するため、この空気調和機を梱包箱に梱包するとき、空気調和機の据付説明書等の現地施工するための付属品が梱包箱に入れられる。ここで、機外に付属品を配置する場合、床置型空気調和機と梱包箱との間に付属品を配置するための専用スペースが必要となるため、梱包箱が大型化する。一方、機内に付属品を配置する場合、床置型空気調和機に付属品を配置するための専用スペースが必要となるため、この空気調和機が大型化する。なお、このような問題は、床置型空気調和機に限られることなく、例えば天吊型空気調和機についても同様に発生する。
【０００５】
本発明は、上記課題を解決するため、空気調和機の大型化およびこの空気調和機を梱包する梱包箱の大型化を抑制することが可能な空気調和機を提供することを目的とする。
【課題を解決するための手段】
【０００６】
請求項１に記載の発明に係る空気調和機は、室内空気送風用の送風機と、現地施工する配管の機内引回し用の配管スペースと、現地施工するための付属品を、空気調和機を輸送するときに保持するための保持部とを備え、前記配管スペースは、前記送風機の吸込側に形成され、前記保持部は、前記配管スペース内に位置することを要旨とする。
【０００７】
上記構成によれば、機内に現地施工配管引回しのための配管スペースが形成され、この配管スペースに、現地施工するための付属品を、当該空気調和機を輸送するときに保持するための保持部が形成されている。これにより、配管スペースは、現地施工する冷媒配管を引回す空間と、付属品を収容する空間とを兼ねる。このため、空気調和機を梱包するために必要なスペースとして、付属品を収容するための専用スペースを形成する必要がなくなる。したがって、空気調和機の大型化および空気調和機を梱包する梱包箱の大型化を抑制することができる。
【０００８】
請求項２に記載の発明は、請求項１記載の空気調和機において、下方前面部に吸込グリルが配置されるとともに、この吸込グリルの内側に吹出方向を上方として前記送風機が配置されることにより、この送風機と、当該空気調和機のケーシングを構成する底フレームとの間に前記送風機の吸込側空間が形成され、前記保持部は、前記吸込側空間における下端位置に配置されていることを要旨とする。
【０００９】
前記保持部は、送風機と底フレームとの間に形成される吸込側空間における下端位置に配置されているので、保持部を形成する保持部材が底フレームから突出していても、この保持部材による機内空気通路における空気流通抵抗の増加が抑制され、送風機の運転効率の低下が抑制される。また、前面の吸込グリルの内側に前記保持部が形成されているので、この吸込グリルを着脱自在に構成することにより、付属品の取り外しを容易に行うことができる。
【発明の効果】
【００１０】
本発明の空気調和機は、ケーシング内に現地施工配管の機内引回しのための配管スペースが形成され、この配管スペースにおいて、付属品を保持する保持部が形成されることにより、付属品が配管スペースに収容される。これにより、付属品を収容するための専用スペースを形成する必要がなくなる。したがって、空気調和機の大型化およびこの空気調和機を梱包する梱包箱の大型化を抑制することができる。
【図面の簡単な説明】
【００１１】
【図１】一実施形態の空気調和機の斜視構造を示す斜視図。
【図２】同空気調和機の側面方向から見た概略機器配置図。
【図３】同空気調和機の配管スペースの平面構造を示す平面図。
【図４】同空気調和機について、（ａ）は付属品が取り付けられていない状態の底板の斜視構造を示す斜視図、（ｂ）は付属品が取り付けられた状態の底板の斜視構造を示す斜視図。
【図５】比較例としての空気調和機について、付属品が取り付けられた状態の底フレームの斜視構造を示す斜視図。
【図６】その他の実施形態の空気調和機の断面構造を示す断面図。
【発明を実施するための形態】
【００１２】
以下、本発明の実施の形態を、図１〜図５を参照しながら説明する。
実施の形態に係る空気調和機の概略構造を図１に基づき説明する。この実施の形態に係る空気調和機は、分離型空気調和機の床置型室内ユニットである。
【００１３】
この空気調和機は、図１および図２に示すように、底フレーム１１を基礎構成部材としたケーシング１０を備えている。ケーシング１０は、底フレーム１１の両側に下端が取り付けられた側板１２、背面に取り付けられた裏板１３、天面に取り付けられた天板１４、上方前面部の吹出グリル１５、中央前面部の前面パネル１６、下方前面部の吸込グリル１７、底フレーム１１に取り付けられた底板２０などを構成部品としている。吹出グリル１５は、水平羽根１５ａとその背部に配置された垂直羽根１５ｂとを備えている。前面パネル１６および吸込グリル１７は、側板１２の前面に対し着脱自在に取り付けられている。
【００１４】
また、空気調和機は、送風機としてのシロッコファン３１、室内側熱交換器３２、ドレンパン３３、電装品箱３４などをケーシング１０の内部に収納している。これら部品は、図２に示すように配置されている。
【００１５】
すなわち、シロッコファン３１は、吸込グリル１７側にファン吸込口を向け、このファン吸込口から吸入した空気を上方に吹き出すようにケーシング１０の下方に配置されている。
【００１６】
室内側熱交換器３２は、シロッコファン３１の吹出側、すなわち、このシロッコファン３１の上方に配置されている。また、室内側熱交換器３２は、下端が前面側となり、上端が背面側となるように傾斜させて取り付けられている。
【００１７】
ドレンパン３３は、室内側熱交換器３２の下端から滴下するドレン水を受けるように配置されている。
電装品箱３４は、吸込グリル１７の上部背面側において、すなわちドレンパン３３の下方において、左右方向略全域に亘るように配置されている。
【００１８】
また、空気調和機においては、シロッコファン３１の吸込側空間において、室外ユニット（図示略）との連絡用の冷媒配管（以下、「連絡配管３６」、図３参照）を現地施工するときの機内引き回し用の配管スペース１８が形成されている。特に、配管スペース１８としては、シロッコファン３１と底フレーム１１との間の空間が利用されている。
【００１９】
また、この空気調和機は、空気調和機の据付位置に対応して、左右の側面、および背面のいずれからでも断熱材で被覆された連絡配管３６を取り出すことができるように配慮されている。すなわち、ケーシング１０の各側板１２および裏板１３のそれぞれに連絡口１２ａ，１３ａ（図１参照）としてのノック孔が形成されている。連絡口１２ａ，１３ａとしてのノック孔は、開口を形成しようとする領域の輪郭に沿って間欠的にスリット孔が形成されて成る。このため、連絡配管３６を取り出すための開口が容易に形成することができるようになっている。
【００２０】
図３に示すように、例えば、連絡配管３６は、右側の側板１２の連絡口１２ａ（図１参照）から取り出すとき、連絡口１２ａを開放し、この連絡口１２ａを通じて取り出される。そして、連絡配管３６は、室外ユニットの冷媒配管（図示略）と連結される。また、連絡配管３６は、図３中の一点鎖線により示すように、裏板１３の連絡口１３ａ（図１参照）に挿通される構成、または図３中の二点鎖線により示すように、左側の側板１２の連絡口１２ａ（図１参照）に挿通される構成とすることもできる。なお、連絡配管３６は、左側の側板１２の連絡口１２ａに挿通される場合、保持部２２を跨ぐ。
【００２１】
図４を参照して、底板２０の詳細な構成について説明する。
図４（ａ）に示すように、底板２０は、底フレーム１１の上面に載せられる平板部２１と、平板部２１から上方に突出する保持部２２とを備えている。底板２０は、樹脂材料により平板部２１および保持部２２を一体的に成形された構造を成す。保持部２２は、吸込グリル１７の吸込口１７ａの下端の一辺と底フレーム１１との間の領域に配置されている（図２参照）。
【００２２】
平板部２１は、底フレーム１１の全面にわたり底フレーム１１を上方から覆う。
保持部２２は、付属品３５（図４（ｂ）参照）を、空気調和機を輸送するときにケーシング１０に保持する役割を果たす。保持部２２は、一対の側方保持部材２３と１個の前方保持部材２４とを備えている。側方保持部材２３は、左右方向に一定の距離をおいて配置されている。前方保持部材２４は、ケーシング１０の前方位置に配置されている。
【００２３】
側方保持部材２３は、平板部２１から上方に延びる第１保持部２３ａと、第１保持部２３ａの上端部から付属品３５を覆うように左右方向に延びる第２保持部２３ｂとを備えている。
【００２４】
前方保持部材２４は、平板部２１から上方に延びる第１保持部２４ａと、第１保持部２４ａの上端部から背面側に向けて延びる第２保持部２４ｂとを備えている。
なお、図４（ｂ）に示すように、付属品３５は、ドレン水の排水ホース、排水ホースの断熱材、および据付説明書等の現地施工するためのものが収納袋３５ａに収容されたものである。
【００２５】
図２、図４、および図５を参照して、本実施の形態に係る空気調和機の作用について説明する。
図４（ａ）に示すように、保持部２２は、底フレーム１１よりも上方、すなわちケーシング１０の配管スペース１８内に形成されている。これにより、配管スペース１８は、現地施工する連絡配管３６（図３参照）を引回す空間と、付属品３５を収容する空間とを兼ねる。このため、空気調和機を梱包するために必要なスペースとして、付属品３５を収容するための専用スペースを形成する必要がなくなる。
【００２６】
図４（ｂ）に示すように、付属品３５は、一対の側方保持部材２３の間および前方保持部材２４と裏板１３との間により形成された空間内に収容される。このとき、付属品３５は、側方保持部材２３、前方保持部材２４、および裏板１３に接触する。
【００２７】
空気調和機の輸送中において外部からの振動等により、付属品３５がケーシング１０に対して移動する力（以下、「移動外力」）が付属品３５に作用する。このとき、付属品３５の左右方向の移動は、一対の側方保持部材２３の第１保持部２３ａにより規制される。また、付属品３５の前面側への移動は、前方保持部材２４の第１保持部２４ａにより規制される。また、付属品３５の背面側への移動は、裏板１３により規制される。また、付属品３５の上方への移動は、側方保持部材２３の第２保持部２３ｂおよび前方保持部材２４の第２保持部２４ｂにより規制される。付属品３５の下方への移動は平板部２１により規制される。
【００２８】
ところで、付属品３５をケーシング１０に保持する構造として、図５に示すように、付属品３５および底フレーム１１を固定用テープ３７により貼り付ける構造（以下、「比較保持構造」）が挙げられる。
【００２９】
しかし、比較保持構造においては、移動外力が付属品３５に作用したとき、固定用テープ３７において付属品３５の上面を覆う部分（以下、「上面固定部３７ａ」）が収納袋３５ａを移動外力とは反対方向に引っ張る。このため、移動外力が付属品３５に作用したとき、上面固定部３７ａにより収納袋３５ａが破れるおそれがある。
【００３０】
これに対して、本実施の形態の空気調和機においては、保持部２２により付属品３５の移動を規制する構造であるため、すなわち、付属品３５の収納袋３５ａを引っ張るような構造ではない。このため、収納袋３５ａが破れることが回避される。
【００３１】
また、比較保持構造においては、固定用テープ３７を底フレーム１１および収納袋３５ａに貼り付ける作業、および現地施工する際に固定用テープ３７を底フレーム１１および収納袋３５ａから外す作業が必要となる。一方、本実施の形態の空気調和機においては、保持部２２に付属品３５を入れる作業および保持部２２から付属品３５を取り外す作業のみのため、比較保持構造と比較して、付属品３５の取り付けおよび取り外しの際の作業が容易となる。
【００３２】
保持部２２と機内の空気の流れとの関係について説明する。
図２に示されるように、空気調和機の駆動時、すなわちシロッコファン３１の駆動時において、次のような機内空気通路が形成される。すなわち、吸込グリル１７の吸込口１７ａを介して機内に外気が流入される。吸込口１７ａから流入された空気は、シロッコファン３１のファン吸込口に流入され、ファン吹出口から吐出される。ファン吐出口から吹き出された空気は、室内側熱交換器３２を介して熱交換された後、吹出グリル１５を介して機外に吹き出される。
【００３３】
保持部２２は、吸込グリル１７の吸込口１７ａの下方の端辺よりも下方に位置するため、機内空気通路において吸込口１７ａを介して流入してファン吸込口に向けて流れる空気との干渉が抑制される。したがって、保持部２２による機内の空気流通抵抗の増加が抑制される。
【００３４】
本実施の形態に係る空気調和機は、以上のように構成されているので、次のような効果を奏することができる。
（１）配管スペース１８内に保持部２２が形成されるため、空気調和機の大型化を抑制することができる。また、付属品３５が機内に配置されるため、付属品３５が機外に配置される構成と比較して、空気調和機を梱包する梱包箱の大型化を抑制することができる。
【００３５】
（２）保持部２２は、シロッコファン３１と底フレーム１１との間の領域に形成される吸込側空間の下端位置に配置されている。これにより、保持部２２を形成する側方保持部材２３および前方保持部材２４が底フレーム１１から突出していても、これら保持部材２３，２４による機内空気通路における空気流通抵抗の増加が抑制される。したがって、シロッコファン３１の運転効率の低下が抑制される。また、吸込グリル１７の背面側に保持部２２が形成されているので、この吸込グリル１７を着脱自在に構成することにより、付属品３５の取り外しを容易に行うことができる。
【００３６】
（変形例）
本発明に係る空気調和機は、上記実施の形態に限定されることなく、以下の変形例も適用可能である。また、以下の変形例については、異なる変形例同士を適宜互いに組み合わせて適用してもよい。
【００３７】
・前記実施の形態において、保持部２２は、一対の側方保持部材２３および前方保持部材２４により構成されているが、保持部２２として、側方保持部材２３および前方保持部材２４に加え、付属品３５を背面側から保持する背面保持部材を形成することもできる。
【００３８】
・前記実施の形態において、側方保持部材２３は、左右方向に１個ずつ形成されているが、側方保持部材２３の個数はこれに限定されない。例えば、側方保持部材２３は、左右方向に２個以上ずつ形成することもできる。
【００３９】
・前記実施の形態において、前方保持部材２４は、前方に１個形成されているが、前方保持部材２４の個数はこれに限定されない。例えば、前方保持部材２４は、前方に２個以上形成することもできる。
【００４０】
・前記実施の形態においては、底板２０は、平板部２１および保持部２２により構成されているが、底板２０の構成はこれに限定されない。例えば、底板２０から平板部２１を省略することもできる。
【００４１】
・前記実施の形態においては、保持部２２が底板２０に形成されているが、保持部２２の位置はこれに限定されない。例えば、配管スペース１８内における側板１２に保持部２２を形成することもできる。
【００４２】
・前記実施の形態に係る空気調和機は、分離型空気調和機の床置型室内ユニットであったが、本発明に係る空気調和機は、このような室内ユニットに限定されるものではなく、図６に示すような天吊型空気調和機の室内ユニットであっても同様の保持部の構成を適用することができる。この室内ユニットは、下方に吸込グリル４１が形成されたケーシング４０と、ケーシング４０内に配置されたシロッコファン４４および室内側熱交換器４５とを備えている。また、ケーシング４０は、室内側熱交換器４５よりも前方に吹出グリル４２が形成され、シロッコファン４４よりも後方に裏板４３が形成されている。シロッコファン４４は、吸込グリル４１の背面側に配置される。ケーシング４０においては、シロッコファン４４と裏板４３との間に配管スペース４６が形成されている。この配管スペース４６内に保持部２２が配置されている。
【符号の説明】
【００４３】
１０…ケーシング、１１…底フレーム、１７…吸込グリル、１８…配管スペース、２２…保持部、３１…シロッコファン（送風機）、３５…付属品、４０…ケーシング、４１…吸込グリル、４４…シロッコファン（送風機）、４６…配管スペース。
【図１】
2013217608.tif 000003
【図２】
2013217608.tif 000004
【図３】
2013217608.tif 000005
【図４】
2013217608.tif 000006
【図５】
2013217608.tif 000007
【図６】
2013217608.tif 000008